(57)【要約】【課題】ＡＣアダプタの待機電力を自動的に遮断し、ＤＣ機器への待機電力を供給可能なＡＣアダプタの待機電力遮断装置を得る。【解決手段】ＡＣ電源１からＡＣアダプタ３へのラインに挿入された開閉スイッチＳＷ１と、開閉スイッチＳＷ１に接続された充電回路２０、二次充電電池２１、放電回路２２と、ＡＣアダプタ３からＤＣ機器４へのラインに挿入された切換スイッチと、ＤＣ機器４への供給電流Ｉｄが閾値Ｉｔｈ以下の場合に各スイッチＳＷ１、ＳＷ２を動作させ、供給電流Ｉｄが閾値Ｉｔｈを超えた場合に各スイッチＳＷ１、ＳＷ２を復帰させる電流監視回路２４とを備え、閾値Ｉｔｈは、ＤＣ機器４のＯＦＦ時の消費電流に対応し、電流監視回路２４は、各スイッチの開放時に、切換スイッチＳＷ２を放電回路側に接続する。【選択図】        図１
2004282950.tif 000002
【特許請求の範囲】
【請求項１】
ＤＣ機器に電力を供給するＡＣアダプタとＡＣ電源との間に挿入されて、前記ＡＣアダプタを介して前記ＡＣ電源から前記ＤＣ機器に供給される待機電力を遮断するＡＣアダプタの待機電力遮断装置であって、
前記ＡＣ電源から前記ＡＣアダプタへの電力供給ラインに挿入された常閉の開閉スイッチと、
前記開閉スイッチを介して前記ＡＣ電源に接続された充電回路と、
前記充電回路により充電される二次充電電池と、
前記二次充電電池の出力端子に接続された放電回路と、
前記ＡＣアダプタから前記ＤＣ機器への電力供給ラインに挿入された常閉の切換スイッチと、
前記ＤＣ機器への供給電流を検出する電流検出器と、
前記供給電流が所定の閾値以下を示す場合に前記開閉スイッチおよび前記切換スイッチを動作させ、前記供給電流が前記閾値を超えた場合に前記開閉スイッチおよび前記切換スイッチを復帰させる電流監視回路とを備え、
前記閾値は、前記ＤＣ機器のＯＦＦ状態における消費電流に対応するように設定され、
前記電流監視回路は、前記供給電流が前記閾値以下を示す場合に、前記開閉スイッチおよび前記切換スイッチを開放するとともに、前記切換スイッチを介して前記放電回路を前記ＤＣ機器側の出力端子に接続することを特徴とするＡＣアダプタの待機電力遮断装置。
【請求項２】
前記閾値を可変設定するための閾値調整回路を備えたことを特徴とする請求項１に記載のＡＣアダプタの待機電力遮断装置。
【請求項３】
前記電流監視回路は、前記二次充電電池から給電されることを特徴とする請求項１または請求項２に記載のＡＣアダプタの待機電力遮断装置。
【請求項４】
前記二次充電電池の充電量を示す充電表示手段と、
前記開閉スイッチを外部から閉成させるためのスイッチ操作部と
を備えたことを特徴とする請求項３に記載のＡＣアダプタの待機電力遮断装置。
【発明の詳細な説明】
【０００１】
【発明の属する技術分野】
この発明は、ＤＣ機器に電力を供給するＡＣアダプタとＡＣ電源との間に挿入されて、前記ＡＣアダプタを介して前記ＡＣ電源から前記ＤＣ機器に供給される待機電力を自動的に遮断するＡＣアダプタの待機電力遮断装置に関するものである。
【０００２】
【従来の技術】
一般に、ＡＣアダプタを介して給電されるＤＣ機器（家電や充電器など）においては、ＡＣアダプタをコンセントに接続するのみで、ＤＣ機器がＯＦＦ状態であってもＡＣアダプタにより常に待機電力が消費されることはよく知られている。
この種の待機電力は、全消費電力の約１０％を占めていることから、待機電力を遮断することは、省エネ対策において重要視されている。
【０００３】
従来の待機電力遮断装置としては、個別スイッチ付きの電源タップが知られており、各機器毎のコンセントを手動でＯＮ／ＯＦＦしている。
また、自動的な待機電力遮断装置としては、エアコンの室外機に用いられるプレヒート機器への給電を、室内機ＯＦＦ時に動作するタイマによって自動的に遮断するものが提案されている（たとえば、非特許文献１参照）。
【０００４】
【非特許文献１】
公開技報２０００−３８３９号
【０００５】
【発明が解決しようとする課題】
従来のＡＣアダプタの待機電力遮断装置は以上のように、個別スイッチ付きのタップを用いた場合には、通常、タップそのものが人目に付かない（邪魔にならない）場所に設置されるので、ＯＮ／ＯＦＦ操作が容易でないという問題点があった。
また、非特許文献１は、ＡＣアダプタなどの待機電力の遮断に関しては全く考慮されていないという問題点があった。
【０００６】
この発明は上記のような問題点を解決するためになされたもので、供給電流の減少によりＤＣ機器のＯＦＦ状態を検知して、ＡＣ電源からＡＣアダプタへの待機電力を自動的に遮断するＡＣアダプタの待機電力遮断装置を得ることを目的とする。
また、この発明は、二次充電電池を内蔵することにより、待機電力遮断期間中であっても、一定時間にわたってＤＣ機器への待機電力を供給することのできるＡＣアダプタの待機電力遮断装置を得ることを目的とする。
【０００７】
【課題を解決するための手段】
この発明に係るＡＣアダプタの待機電力遮断装置は、ＤＣ機器に電力を供給するＡＣアダプタとＡＣ電源との間に挿入されて、ＡＣアダプタを介してＡＣ電源からＤＣ機器に供給される待機電力を遮断するＡＣアダプタの待機電力遮断装置であって、ＡＣ電源からＡＣアダプタへの電力供給ラインに挿入された常閉の開閉スイッチと、開閉スイッチを介してＡＣ電源に接続された充電回路と、充電回路により充電される二次充電電池と、二次充電電池の出力端子に接続された放電回路と、ＡＣアダプタからＤＣ機器への電力供給ラインに挿入された常閉の切換スイッチと、ＤＣ機器への供給電流を検出する電流検出器と、供給電流が所定の閾値以下を示す場合に開閉スイッチおよび切換スイッチを動作させ、供給電流が閾値を超えた場合に開閉スイッチおよび切換スイッチを復帰させる電流監視回路とを備え、閾値は、ＤＣ機器のＯＦＦ状態における消費電流に対応するように設定され、電流監視回路は、供給電流が閾値以下を示す場合に、開閉スイッチおよび切換スイッチを開放するとともに、切換スイッチを介して放電回路をＤＣ機器側の出力端子に接続するものである。
【０００８】
【発明の実施の形態】
実施の形態１．
以下、図面を参照しながら、この発明の実施の形態１について詳細に説明する。
図１および図２はこの発明の実施の形態１による接続状態を示すブロック構成図であり、図１は通常のＡＣアダプタ駆動時の状態、図２はＡＣアダプタの待機電力遮断時の状態をそれぞれ示している。
図１において、商用のＡＣ電源１には、待機電力遮断装置２が接続されており、ＡＣアダプタ３のＡＣ入力端子は、待機電力遮断装置２内のＡＣ電力供給ラインを介してＡＣ電源１に接続されている。
また、ＡＣアダプタ３のＤＣ出力端子は、待機電力遮断装置２内のＤＣ出力ラインを介して、ＤＣ機器４の入力端子に接続されている。
【０００９】
待機電力遮断装置２は、ＤＣ機器４に電力を供給するＡＣアダプタ３とＡＣ電源１との間に挿入されて、ＡＣアダプタ３を介してＡＣ電源１からＤＣ機器４に供給される待機電力を遮断するために、ＡＣ電源１からＡＣアダプタ３へのＡＣ電力供給ラインに挿入された常閉の開閉スイッチＳＷ１と、開閉スイッチＳＷ１を介してＡＣ電源１に接続された充電回路２０と、充電回路２０により充電される二次充電電池２１と、二次充電電池２１の出力端子に接続された放電回路２２と、ＡＣアダプタ３からＤＣ機器４への電力供給ラインに挿入された常閉の切換スイッチＳＷ２と、ＤＣ機器４への供給電流Ｉｄを検出する電流検出器２３と、供給電流Ｉｄが所定の閾値Ｉｔｈ以下を示す場合に各スイッチＳＷ１およびＳＷ２を動作させる電流監視回路２４と、閾値Ｉｔｈを可変設定するための閾値調整回路２５とを備えている。
【００１０】
電流監視回路２４は、二次充電電池２１から給電されて駆動し、供給電流Ｉｄが所定の閾値Ｉｔｈ以下を示す場合に、開閉スイッチＳＷ１および切換スイッチＳＷ２を開放するとともに、切換スイッチＳＷ２を介して放電回路２２をＤＣ機器４側の出力端子に接続し（図２参照）、供給電流Ｉｄが閾値Ｉｔｈを超えた場合に、開閉スイッチＳＷ１および切換スイッチＳＷ２を図１の状態に復帰させるようになっている。
閾値Ｉｔｈは、ＤＣ機器４のＯＦＦ時の消費電流に対応する電流値（０ｍＡ〜２０ｍＡ程度）に設定されている。
【００１１】
待機電力遮断装置２の外部には、閾値調整回路２５を操作するためのボリュームつまみからなる閾値操作部５と、二次充電電池２１の放電完了（充電電力量なし）時に開閉スイッチＳＷ１を外部から閉成させるためのボタンからなるスイッチ操作部６と、二次充電電池２１の充電量を示す充電表示手段となる表示灯７（ネオンランプなど）とが設けられている。
【００１２】
次に、図１および図２を参照しながら、この発明の実施の形態１による動作について説明する。
まず、図１のように、ＡＣ電源１とＡＣアダプタ３との間、および、ＡＣアダプタ３とＤＣ機器４との間に、待機電力遮断装置２を挿入し、それぞれを電気的に接続する。
このとき、ＤＣ機器４がＯＮ状態であれば、供給電流Ｉｄが閾値Ｉｔｈよりも大きいので、待機電力遮断装置２内の各スイッチＳＷ１およびＳＷ２は、閉成されており、ＡＣアダプタ３を介したＡＣ電源１からＤＣ機器４への電力供給が継続される。
【００１３】
一方、ＤＣ機器４がＯＦＦされると、供給電流Ｉｄが閾値Ｉｔｈ以下になるので、電流監視回路２４は、図２のように、各スイッチＳＷ１およびＳＷ２を開放し、切換スイッチＳＷ２を放電回路２２側に接続させる。
したがって、ＡＣアダプタ３がＡＣ電源１から切り離され、ＡＣアダプタ３での待機電力の消費は回避される。また、ＤＣ機器４が待機電力を消費しても、二次充電電池２１の充電電力が放電回路２２を介してＤＣ機器４に供給されるので、二次充電電池２１が放電完了するまでの一定時間にわたって、ＤＣ機器４への待機電力を保証することができる。
この場合、閾値Ｉｔｈは、ＤＣ機器４の待機電力に対応するように、たとえば１５ｍＡ程度に設定される。
一方、ＤＣ機器４が待機電力を消費しない場合には、閾値Ｉｔｈは、たとえば０ｍＡに設定されてもよい。
【００１４】
その後、ＤＣ機器４が再度ＯＮされると、供給電流Ｉｄが閾値Ｉｔｈを超えるので、電流監視回路２４は、各スイッチＳＷ１およびＳＷ２を閉成して、図１の通常状態に復帰させる。
したがって、ＤＣ機器４には、ＡＣ電源１からＡＣアダプタ３を介した給電が行われる。
このとき、表示灯７が消灯していて、二次充電電池２１が放電完了状態を示す場合には、スイッチ操作部６を手動操作して一定時間だけ強制的に開閉スイッチＳＷ１を閉成させ、ＡＣ電源１から待機電力遮断装置２内の電流監視回路２４への給電を行う。
これにより、電流監視回路２４の駆動電力が確保され、ＡＣアダプタ３を介したＤＣ機器４への給電が再開可能となる。
【００１５】
実施の形態２．
なお、上記実施の形態１では、ＤＣ機器４の待機電力の有無および待機電力量に応じて、閾値Ｉｔｈを可変設定するための閾値調整回路２５を設けたが、ＤＣ機器４の待機電力が０の場合または待機電力量が既知の値に固定されている場合には、閾値調整回路２５を省略することができる。
また、ＤＣ機器４の待機電力が０の場合には、スイッチ操作部６を省略することができ、さらに表示灯７を省略してもよい。
【００１６】
【発明の効果】
以上のように、この発明によれば、ＤＣ機器に電力を供給するＡＣアダプタとＡＣ電源との間に挿入されて、ＡＣアダプタを介してＡＣ電源からＤＣ機器に供給される待機電力を遮断するＡＣアダプタの待機電力遮断装置であって、ＡＣ電源からＡＣアダプタへの電力供給ラインに挿入された常閉の開閉スイッチと、開閉スイッチを介してＡＣ電源に接続された充電回路と、充電回路により充電される二次充電電池と、二次充電電池の出力端子に接続された放電回路と、ＡＣアダプタからＤＣ機器への電力供給ラインに挿入された常閉の切換スイッチと、ＤＣ機器への供給電流を検出する電流検出器と、供給電流が所定の閾値以下を示す場合に開閉スイッチおよび切換スイッチを動作させ、供給電流が閾値を超えた場合に開閉スイッチおよび切換スイッチを復帰させる電流監視回路とを備え、閾値は、ＤＣ機器のＯＦＦ状態における消費電流に対応するように設定され、電流監視回路は、供給電流が閾値以下を示す場合に、開閉スイッチおよび切換スイッチを開放するとともに、切換スイッチを介して放電回路をＤＣ機器側の出力端子に接続するようにしたので、ＡＣ電源からＡＣアダプタへの待機電力を自動的に遮断するとともに、待機電力遮断期間中であっても一定時間にわたってＤＣ機器への待機電力を供給することのできるＡＣアダプタの待機電力遮断装置が得られる効果がある。
【図面の簡単な説明】
【図１】この発明の実施の形態１による通常接続状態を示すブロック構成図である。
【図２】この発明の実施の形態１による待機電力遮断時の状態を示すブロック構成図である。
【符号の説明】
１  ＡＣ電源、２  待機電力遮断装置、３  ＡＣアダプタ、４  ＤＣ機器、５閾値操作部、６  スイッチ操作部、７  表示灯、２０  充電回路、２１  二次充電電池、２２  放電回路、２３  電流検出器、２４  電流監視回路、２５  閾値調整回路、Ｉｄ  供給電流、Ｉｔｈ  閾値、ＳＷ１  開閉スイッチ、ＳＷ２  切換スイッチ。
【図１】
2004282950.tif 000003
【図２】
2004282950.tif 000004